(57)【要約】【課題】部品点数を少なくすることが可能なダイヤルノブの提供。【解決手段】回転軸を有する機器と接続するダイヤルノブは、操作量を入力するのに用いられる天面部と、前記天面部と一体的に設けられるベース部とを含み、前記ベース部は、前記天面部と反対側の端部に、前記回転軸と係合する軸受が形成され、前記天面部及び前記ベース部は、光を透過する材料で形成される。【選択図】  図３
2018120795.tif 000002
【特許請求の範囲】
【請求項１】
回転軸を有する機器と接続するダイヤルノブであって、
操作量を入力するのに用いられる天面部と、
前記天面部と一体的に設けられるベース部とを含み、
前記ベース部は、前記天面部と反対側の端部に、前記回転軸と係合する軸受が形成され、
前記天面部及び前記ベース部は、光を透過する材料で形成される
ダイヤルノブ。
【発明の詳細な説明】
【技術分野】
【０００１】
本開示は、ダイヤルノブに関する。
【背景技術】
【０００２】
ダイヤルノブのインジケータ導光構造において、第１導光体又は第２導光体を用いて、ＬＥＤ（Ｌｉｇｈｔ  Ｅｍｉｔｔｉｎｇ  Ｄｉｏｄｅ）からの光を伝えて、パネル表面等を光らせる技術が知られている（例えば、特許文献１参照）。
【先行技術文献】
【特許文献】
【０００３】
【特許文献１】特開２００５−２０９５０５号公報
【発明の概要】
【発明が解決しようとする課題】
【０００４】
しかしながら、上記のような従来技術では、利用者が入力する操作量を計測する機器にダイヤルノブを接続させる軸受となる部品と、光を通過させる部品とが別の部品となる。そのため、部品点数が多くなる場合が多い。
【０００５】
そこで、本発明は、部品点数を少なくすることが可能なダイヤルノブの提供を目的とする。
【課題を解決するための手段】
【０００６】
一側面によれば、ダイヤルノブは、回転軸を有する機器と接続するダイヤルノブであって、操作量を入力するのに用いられる天面部と、前記天面部と一体的に設けられるベース部とを含み、前記ベース部は、前記天面部と反対側の端部に、前記回転軸と係合する軸受が形成され、前記天面部及び前記ベース部は、光を透過する材料で形成される。
【０００７】
まず、光源は、天面部を光らせるための光を発光する。そこで、機器と接続する軸受部分が光を透過する部材であると、光が通過する経路が広くできる。このように、軸受部分が光を透過する部材であると、天面部に、光源から発光された光が多く到達するようにできる。
【０００８】
さらに、ダイヤルノブは、ベース部の端部が機器との軸受にもなるため、操作量を機器に伝えることができる。
【０００９】
したがって、ベース部が、光を透過する部材と、軸受とを兼ねる構成であると、部品点数を少なくすることが可能なダイヤルノブが得られる。
【発明の効果】
【００１０】
部品点数を少なくすることが可能なダイヤルノブが得られる。
【図面の簡単な説明】
【００１１】
【図１】本実施形態に係るダイヤルノブの使用例を示す平行投影図である。
【図２】本実施形態に係る操作部分の一例を示す拡大図である。
【図３】本実施形態に係るダイヤルノブの断面の一例を示す断面図である。
【図４】比較例に係るダイヤルノブの断面の一例を示す断面図である。
【発明を実施するための形態】
【００１２】
以下、添付する図面を参照しながら実施例について詳細に説明する。
【００１３】
図１は、本実施形態に係るダイヤルノブの使用例を示す平行投影図である。
【００１４】
例えば、本実施形態に係るダイヤルノブは、図示するように、オーディオ機器ＡＵのパネル部分等に使用される。以下、図示するオーディオ機器ＡＵに使用される例で説明するが、ダイヤルノブ（Ｄｉａｌ  Ｋｎｏｂ）ＫＮは、カーナビ等の電子機器に使用されてもよい。
【００１５】
図示するように、オーディオ機器ＡＵのパネル部分には、利用者が操作を入力するためのインタフェースとなる操作部分ＣＴがある。また、操作部分ＣＴには、図示するように、ダイヤルノブ及びボタンＢＮ等の入力装置が設けられる。そして、操作部分ＣＴは、拡大すると、例えば、以下のように示せる。
【００１６】
図２は、本実施形態に係る操作部分の一例を示す拡大図である。例えば、図示するように、２つのボタンＢＮと、ダイヤルノブＫＮとが配置されるとする。
【００１７】
利用者は、オーディオ機器ＡＵに対して操作を行う場合には、例えば、ダイヤルノブＫＮをＹ軸回り、すなわち、いわゆるロール回転方向ＲＬに動かす操作等を行う。
【００１８】
例えば、利用者は、オーディオ機器ＡＵが出力する音の音量、オーディオ機器ＡＵが受信するラジオの周波数、オーディオ機器ＡＵのチャンネル、オーディオ機器ＡＵが再生するＣＤ（Ｃｏｍｐａｃｔ  Ｄｉｓｃ）等のトラック、又は、オーディオ機器ＡＵの表示部が点灯する光量等を変更する操作を行う。このような操作が入力されると、操作量、すなわち、ロール回転方向ＲＬにおけるダイヤルノブＫＮの角度に基づいて、オーディオ機器ＡＵは、音量等を変更する。
【００１９】
また、ダイヤルノブＫＮを押すと、オーディオ機器ＡＵの電源を「ＯＮ／ＯＦＦ」切り替え、又は、ＣＤのトラック等を決定する操作が更に行えるダイヤルノブＫＮでもよい。このようにして、電子機器の設定が変更される。
【００２０】
以下、ダイヤルノブＫＮをＡ−Ａ断面図を用いて説明する。
【００２１】
図３は、本実施形態に係るダイヤルノブの断面の一例を示す断面図である。以下、図示するような構造をしたダイヤルノブＫＮであって、ダイヤルノブＫＮの表面となる箇所、図示する天面（以下「天面部ＴＰ」という。）を光らせたい箇所とする例で説明する。このように、天面部ＴＰが光ると、利用者は、暗い環境下でも、ダイヤルノブＫＮの位置を知ることができる。
【００２２】
図示する構成例は、ダイヤルノブＫＮと、機器の例であるエンコーダＥＮと、光源ＬＳとを接続させた例である。図示するように、ダイヤルノブＫＮの一部（以下「ベース部ＢＰ」という。）がエンコーダＥＮと係合する。そして、ベース部ＢＰは、天面部ＴＰと反対側の端部が、エンコーダＥＮとの軸受けとなる軸受部分ＢＥである。そのため、ダイヤルノブＫＮがロール回転方向ＲＬへ回転するように、操作されると、一緒になってエンコーダＥＮが有する回転軸ＲＡが回転するため、エンコーダＥＮは、操作量を計測できる。
【００２３】
図示するように、光源ＬＳは、遮光リブＲＩによって囲われる構成とする。したがって、遮光リブＲＩの部分から外部には、光源ＬＳが発光した光ＬＧは、漏れにくい構成である。
【００２４】
エンコーダＥＮは、利用者がダイヤルノブＫＮをロール回転方向ＲＬに回転させる操作を行うと、ダイヤルノブＫＮが回転した角度を示すカウンタ値等を出力する。このように、エンコーダＥＮは、ダイヤルノブＫＮの回転した角度等といった操作量を計測する。なお、エンコーダＥＮは、ポテンショメータ又は可変抵抗等でもよい。
【００２５】
光源ＬＳは、例えば、ＬＥＤ等である。図示するように、光源ＬＳが発光した光ＬＧは、利用者、すなわち、天面部ＴＰへ主に向かう。なお、光源ＬＳは、例えば、有機ＥＬ（Ｅｌｅｃｔｒｏ−Ｌｕｍｉｎｅｓｃｅｎｃｅ）等でもよい。
【００２６】
そして、天面部ＴＰとベース部ＢＰは、光を透過する材料で、一体的に形成されるのが好ましい。一方で、天面部ＴＰと、ベース部ＢＰとを別々に形成し、形成後、つなげて一体化させることも可能である。しかし、天面部ＴＰと、ベース部ＢＰとをつなげると、接合面で、光の透過が妨げられやすい。したがって、光を透過しやすくするため、天面部ＴＰとベース部ＢＰは、一体的に形成されるのが好ましい。
【００２７】
また、ベース部ＢＰは、乳白材等で形成される。そして、乳白材は、例えば、光透過性のプラスチック等に、炭化珪素等の拡散材を添加した材料である。すなわち、ベース部ＢＰは、光ＬＧを透過する部材、いわゆる透過率が高い部材である。なお、ベース部ＢＰは、透過率が高い部材であればよく、例えば、アクリル等でもよい。また、部材は、法規又は意匠等によって選択されてもよい。乳白材を用いると、光は、分散しやすい。そのため、乳白材を用いると、天面部ＴＰを均一に光らせることができる。
【００２８】
図示するように、ベース部ＢＰが光ＬＧを透過する部材であると、光ＬＧは、ベース部ＢＰを通過して、天面部ＴＰまで到達することができる。つまり、光ＬＧは、途中にベース部ＢＰがあっても、ベース部ＢＰが導光板の役割を果たすため、天面部ＴＰに到達する。したがって、図示するような構成とすると、光源ＬＳが発光した光ＬＧによって、ダイヤルノブＫＮは、天面部ＴＰを光らせることができる。このように、ベース部ＢＰは、１つの部品で、エンコーダＥＮとの軸受けの役割と、光ＬＧを天面部ＴＰに伝える役割とを兼ねる構成である。そのため、軸受けとなる部品と、光ＬＧを伝える部品とが分かれている場合と比較して、部品点数が少なくできる。
【００２９】
さらに、図示するような構成とすると、天面部ＴＰに、均一に光ＬＧが当たりやすい。そのため、ダイヤルノブＫＮは、天面部ＴＰを均一に光らせることができる。
【００３０】
なお、ダイヤルノブＫＮには、図示するように、メッキリングＣＯ等といった加工、装飾又は塗装等が行われてもよい。
【００３１】
＜比較例＞
図４は、比較例に係るダイヤルノブの断面の一例を示す断面図である。以下、図示する比較例を説明する。具体的には、図３に示すダイヤルノブＫＮと比較すると、図４に示す比較例は、ベース部ＢＰが、遮光リブＲＩ等と同様に、光を透過しにくい部材である点が異なる。
【００３２】
このような構成では、光ＬＧは、ベース部ＢＰを通過することができない。したがって、図示するように、光ＬＧは、ベース部ＢＰと、遮光リブＲＩとの間等といった各部品間の隙間又は導光板となる部品（以下単に「隙間ＩＮ」という。）を通過して天面部ＴＰに到達する。そのため、比較例は、天面部ＴＰを光らせるための光ＬＧが通過する経路が、図３に示す構成と比較して、狭くなる場合が多い。
【００３３】
以上、本発明を実施するための形態について説明したが、本発明は、説明した特定の実施形態に限定されるものではなく、特許請求の範囲に記載された本発明の要旨の範囲内において、種々の変形又は変更が可能である。
【符号の説明】
【００３４】
ＫＮ  ダイヤルノブ
ＬＳ  光源
ＥＮ  エンコーダ
ＴＰ  天面部
ＢＰ  ベース部
ＢＥ  軸受部分
ＲＡ  回転軸
【図１】
2018120795.tif 000003
【図２】
2018120795.tif 000004
【図３】
2018120795.tif 000005
【図４】
2018120795.tif 000006